(57)【要約】      （修正有）【課題】プラグがコネクタから容易に抜けることのないコネクタ機構及びプラグを提供する。【解決手段】プラグの基部２の外周の一部に、この基部２の外周に沿って延びる凹部を形成するとともに、この凹部の少なくとも一部を覆う舌片３ａを第１の接触部３に設ける。第２の接触部１２は周壁１０ｃから所定の距離をもって離間して配置されている。プラグの少なくとも一部が収納部１０ｂに収納された状態で、舌片３ａの少なくとも一部を第２の接触部１２と周壁１０ｃとの間の間隙に進入させることで、舌片３ａと第２の接触部１２とを係合する。【選択図】図６
0003183514.tif 000002
【実用新案登録請求の範囲】
【請求項１】
基部とこの基部の外周の少なくとも一部を覆う導体からなる第１の接触部とを有するプラグ、及び、前記プラグの少なくとも一部が収納可能な収納部とこの収納部から突出して前記第１の接触部に接触可能な導体からなる第２の接触部とを備えるジャックを備えるコネクタ機構において、
前記基部の外周の一部には凹部がこの基部の外周に沿って延びて形成されるとともに、前記第１の接触部にはこの凹部の少なくとも一部を覆う舌片が設けられ、
前記第２の接触部は前記収納部壁面から所定の距離をもって離間して配置され、
前記プラグの少なくとも一部が前記収納部に収納された状態で、前記舌片の少なくとも一部が前記第２の接触部と前記収納部壁面との間の間隙に進入することで、前記舌片と前記第２の接触部とが係合する
ことを特徴とするコネクタ機構。
【請求項２】
前記基部は円筒形に形成され、前記凹部はこの基部の外周の円周方向に延びて形成されていることを特徴とする請求項１記載のコネクタ機構。
【請求項３】
前記舌片は、前記プラグの少なくとも一部が前記収納部に収納された状態で、前記基部の中心軸を中心に回転させることで、その一部が前記第２の接触部と前記収納部壁面との間の間隙に進入することを特徴とする請求項２記載のコネクタ機構。
【請求項４】
前記凹部の底面の少なくとも一部は、前記基部の外周から傾斜する傾斜面に形成されていることを特徴とする請求項１〜３のいずれかに記載のコネクタ機構。
【請求項５】
前記凹部の底面の少なくとも一部には、導体からなる第３の接触部が設けられていることを特徴とする請求項１〜４のいずれかに記載のコネクタ機構。
【請求項６】
前記舌片の先端には、前記第２の接触部と係合する突起が設けられていることを特徴とする請求項１〜５のいずれかに記載のコネクタ機構。
【請求項７】
基部とこの基部の外周の少なくとも一部を覆う導体からなる第１の接触部とを有するプラグにおいて、
前記基部の外周の一部には凹部がこの基部の外周に沿って延びて形成されるとともに、前記第１の接触部にはこの凹部の少なくとも一部を覆う舌片が設けられていることを特徴とするプラグ。
【考案の詳細な説明】
【技術分野】
【０００１】
本考案は、例えば電気機器に商用電源を接続する際に用いられるＤＣプラグ及びＤＣコネクタ等に用いて好適なコネクタ機構及びプラグに関する。
【背景技術】
【０００２】
電気機器等に用いられるＤＣプラグ及びＤＣコネクタは公知である（例えば特許文献１参照）。一部のＤＣプラグ及びＤＣコネクタについては、旧日本電子機械工業会（ＥＩＡＪ）により規格が定められている（例えば非特許文献１参照）。
【０００３】
従来公知のＤＣプラグは、円筒形の本体の外周及び中央部にそれぞれ極性の異なる直流電流が供給された導体が設けられてなり、このＤＣプラグをＤＣコネクタに挿入すると、ＤＣプラグの導体を介してＤＣコネクタが設けられた電気機器に直流電流が供給される。
【先行技術文献】
【特許文献】
【０００４】
【特許文献１】特開２０１０−１２９３１９号公報
【非特許文献】
【０００５】
【非特許文献１】「JEITA/ 刊行物・JEITA規格」［平成25年2月14日検索］、インターネット<URL: http://www.jeita.or.jp/cgi-bin/standard/pdfpage.cgi?jk_n=251>
【考案の概要】
【考案が解決しようとする課題】
【０００６】
しかしながら、上述した従来のＤＣプラグ及びＤＣコネクタは、ＤＣプラグの導体とＤＣコネクタの導体とが面接触して接続され、この導体相互の面接触の摩擦力により嵌合されていたので、ＤＣプラグにこの摩擦力以上の外力が付加された場合、このＤＣプラグがＤＣコネクタから抜けてしまっていた。
【０００７】
本考案は上述した課題に鑑みてなされたものであり、プラグがコネクタから容易に抜けることのないコネクタ機構及びプラグの提供をその目的の一つとしている。
【課題を解決するための手段】
【０００８】
本考案は、基部とこの基部の外周の少なくとも一部を覆う導体からなる第１の接触部とを有するプラグ、及び、プラグの少なくとも一部が収納可能な収納部とこの収納部から突出して第１の接触部に接触可能な導体からなる第２の接触部とを備えるジャックを備えるコネクタ機構に適用される。そして、基部の外周の一部に、この基部の外周に沿って延びる凹部を形成するとともに、この凹部の少なくとも一部を覆う舌片を第１の接触部に設け、第２の接触部を収納部壁面から所定の距離をもって離間して配置し、プラグの少なくとも一部が収納部に収納された状態で、舌片の少なくとも一部を第２の接触部と収納部壁面との間の間隙に進入させることで、舌片と第２の接触部とを係合することにより、上述の課題の少なくとも一つを解決している。
【０００９】
プラグの基部の外周に設けられた導体からなる第１の接触部に設けられた舌片は、プラグの少なくとも一部がコネクタの収納部に収納された状態で、その少なくとも一部がコネクタの第２の接触部と収納部壁面との間の間隙に進入することで、これら舌片と第２の接触部とが係合される。
【００１０】
ここで、基部を円筒形に形成し、凹部をこの基部の外周の円周方向に延びて形成することが好ましい。また、プラグの少なくとも一部が収納部に収納された状態で、舌片を基部の中心軸を中心に回転させることで、その一部を第２の接触部と収納部壁面との間の間隙に進入させることが好ましい。また、凹部の底面の少なくとも一部を、基部の外周から傾斜する傾斜面に形成することが好ましい。さらに、凹部の底面の少なくとも一部に、導体からなる第３の接触部を設けることが好ましい。そして、舌片の先端に、第２の接触部と係合する突起を設けることが好ましい。
【００１１】
また、本考案は、基部とこの基部の外周の少なくとも一部を覆う導体からなる第１の接触部とを有するプラグに適用される。そして、基部の外周の一部に、この基部の外周に沿って延びる凹部を形成するとともに、この凹部の少なくとも一部を覆う舌片を第１の接触部に設けることで、上述の課題の少なくとも一つを解決している。
【考案の効果】
【００１２】
本考案では、プラグの少なくとも一部が収納部に収納された状態で、舌片の少なくとも一部を第２の接触部と収納部壁面との間の間隙に進入させることで、舌片と第２の接触部とを係合しているので、プラグに外力が作用しても、これら舌片と第２の接触部との係合によりプラグの離脱が防止される。よって、本考案によれば、プラグがコネクタから容易に抜けることのないコネクタ機構及びプラグを提供することができる。
【図面の簡単な説明】
【００１３】
【図１】本考案のコネクタ機構が適用されるＤＣプラグの第１実施形態を示す斜視図である。
【図２】第１実施形態のＤＣプラグを示す側面図である。
【図３】第１実施形態のＤＣプラグを示す一部破断側面図である。
【図４】第１実施形態のＤＣプラグを示す断面図である。
【図５】本考案のコネクタ機構が適用されるＤＣコネクタの第１実施形態を示す断面図である。
【図６】第１実施形態のＤＣプラグがＤＣコネクタに挿入された状態を示す断面図である。
【図７】本考案のコネクタ機構が適用されるＤＣプラグの第２実施形態を示す断面図である。
【図８】本考案のコネクタ機構が適用されるＤＣプラグの舌片の変形例を示す部分拡大図である。
【図９】本考案のコネクタ機構が適用されるＤＣプラグの舌片の別の変形例を示す部分拡大図である。
【図１０】本考案のコネクタ機構が適用されるＤＣプラグの舌片のまた別の変形例を示す部分拡大図である。
【考案を実施するための形態】
【００１４】
以下、図面を参照して、本考案のコネクタ機構の実施形態について説明する。
（第１実施形態）
図１〜図６は、本考案のコネクタ機構が適用されるＤＣプラグ及びＤＣコネクタの第１実施形態を示す図であり、図１は第１実施形態のＤＣプラグを示す斜視図、図２は第１実施形態のＤＣプラグを示す側面図、図３は第１実施形態のＤＣプラグを示す一部破断側面図、図４は第１実施形態のＤＣプラグを示す断面図、図５は第１実施形態のＤＣコネクタを示す断面図である。
【００１５】
これらの図において、１は本実施形態のコネクタ機構を構成するＤＣプラグであり、このＤＣプラグ１は、後述するＤＣコネクタ１０に挿入される部分であるプラグ本体１ａと、このプラグ本体１ａに連なる絶縁体からなる筐体部１ｂとを備えている。
【００１６】
プラグ本体１ａは、絶縁体からなる略円筒状の基部２と、この基部２の外周を覆うようにして設けられた薄板状の導体からなる第１の接触部３とを備える。基部２の中心にはこの基部２の軸方向に貫通する貫通孔２ａが形成されているとともに、この貫通孔２ａの内周面には薄板状の導体からなる中心電極４が設けられている。第１の接触部３及び中心電極４は、いずれもＤＣプラグ１の挿入方向（図１において矢印Ａ方向）の先端にまで延出されておらず、これら第１の接触部３及び中心電極４の挿入方向先端は基部２により封止されている。
【００１７】
基部２には、凹部２ｂがこの基部２の円周方向に沿って延びるように形成されているとともに、この凹部２ｂの上方に位置する第１の接触部３は、凹部２ｂの少なくとも一部を覆う舌片３ａに形成されている。この舌片３ａは、図３にもっともよく示されるように、凹部２ｂの底面２ｃから一定距離離間されて形成されているとともに、凹部２ｂの側部からも一定距離離間されて形成されている。また、図４に示すように、凹部２ｂの底面２ｃには導体からなる第３の接触部５が設けられており、この第３の接触部５は、ＤＣプラグ１の筐体部１ｂ内において第１の接触部３と電気的に接続されている（図略）。
【００１８】
一方、１０は本実施形態のコネクタ機構を構成するＤＣコネクタであり、このＤＣコネクタ１０は、絶縁体からなるコネクタ本体１０ａと、このコネクタ本体１０ａに形成され、ＤＣプラグ１のプラグ本体１ａが収納可能な収納部１０ｂとを備える。収納部１０ｂは円筒状に形成された周壁１０ｃを備える。
【００１９】
また、ＤＣコネクタ１０は、収納部１０ｂの奥部からＤＣプラグ１の挿入方向（図５において矢印Ｂ方向）に突出する円筒状の導体からなるピン１１と、収納部１０ｂの周壁１０ｃに設けられた切欠１０ｄから収納部１０ｂに向けて一部が突出する導体からなる第２の接触部１２とを備える。
【００２０】
第２の接触部１２は薄板状の導体をＵ字形に折曲して形成された板バネであり、その一端１２ａは、コネクタ本体１０ａ内に設けられた導体１３に接触しているとともに、他端１２ｂはコネクタ本体１０ａの切欠１０ｄから外方に露出している。この第２の接触部１２のうち収納部１０ｂ内に向けて突出している部分は、この収納部１０ｂの周壁１０ｃから一定距離をもって離間して設けられている。
【００２１】
次に、図６を参照して、本実施形態のコネクタ機構の動作について説明する。図６は第１実施形態のＤＣプラグ１がＤＣコネクタ１０に挿入された状態を示す断面図である。ＤＣプラグ１のプラグ本体１ａがＤＣコネクタ１０の収納部１０ｂに図中矢印Ｃ方向に挿入されると、ピン１１の外周に中心電極４が嵌合することでこれらピン１１及び中心電極４が電気的に接続され、また、基部２及び第１の接触部３により第２の接触部１２が図中下方に押し下げられて弾性変形する。
【００２２】
この状態でプラグ本体１ａを基部２の中心軸周り（図中矢印Ｄ方向）に回転させると、舌片３ａの少なくとも一部が第２の接触部１２と収納部１０ｂの周壁１０ｃとの間の間隙に進入し、これにより、第２の接触部１２は舌片３ａと凹部２ｂの底面２ｃとの間に嵌入される。よって、第２の接触部１２と舌片３ａとが係合し、これら第２の接触部１２と舌片３ａとが電気的に接続される。また、第２の接触部１２が図中下方に押し下げられて弾性変形することにより、一端１２ａは導体１３から離間される。
【００２３】
以上の構成により、ＤＣプラグ１がＤＣコネクタ１０に挿入され、これらが電気的に接続される。ここで、本実施形態のＤＣプラグ１及びＤＣコネクタ１０によれば、ＤＣプラグ１の舌片３ａとＤＣコネクタ１０の第２の接触部１２が係合されているので、ＤＣプラグ１に挿入方向（図６において矢印Ｃ方向）と反対方向の外力が作用しても、第２の接触部１２と舌片３ａとの係合によりＤＣプラグ１がＤＣコネクタ１０から抜け落ちることが防止される。これにより、ＤＣプラグ１がＤＣコネクタ１０から容易に抜けることのないコネクタ機構を実現することができる。
【００２４】
加えて、本実施形態のＤＣプラグ１では凹部２ｂの底面２ｃに第３の接触部５が設けられているので、第２の接触部１２は舌片３ａに電気的に接続されるとともに第３の接触部６にも電気的に接続されることになる。よって、ＤＣプラグ１とＤＣコネクタ１０との間の電気的接続状態をより確実なものにすることができる。
【００２５】
（第２実施形態）
次に、図７は、本考案のコネクタ機構が適用されるＤＣプラグの第２実施形態を示す断面図である。本実施形態のＤＣプラグ１と上述した第１実施形態のＤＣプラグ１とは、凹部２ｂの底面２ｃの形状が異なるのみであり、その他の構成要素は第１実施形態のＤＣプラグ１と同一である。従って、同一の構成要素については同一の符号を付し、その説明を簡略化する。
【００２６】
本実施形態のＤＣプラグ１では、基部２に形成された凹部２ｂの底面２ｃが、第１の接触部３の舌片３ａの先端から奥に向かう方向に沿って、舌片３ａと底面２ｃとの距離が徐々に狭まる傾斜面に形成されている。言い換えれば、本実施形態の凹部２ｂの底面２ｃは、基部２の外周から徐々に傾斜する傾斜面に形成されている。
【００２７】
本実施形態のＤＣプラグ１は、上述の第１実施形態と同様の動作によりＤＣコネクタ１０に挿入される。ここで、本実施形態のＤＣプラグ１によれば、基部２の凹部２ｂの底面２ｃが斜面に形成されているので、ＤＣプラグ１の回転動作により第２の接触部１２は、舌片３ａと凹部底面２ｃとの距離が長い位置から狭い位置へと順に案内される。従って、本実施形態によれば、ＤＣプラグ１とＤＣコネクタ１０との間の電気的接続状態をさらに確実なものにすることができる。
【００２８】
（変形例）
なお、本考案のコネクタ機構は、その細部が上述した各実施形態に限定されず、種々の変形例が可能である。一例として、ＤＣプラグ１の舌片３ａとＤＣコネクタ１０の第２の接触部１２との係合をより確実なものにすることを目的に、図８、図９及び図１０に示すように、舌片３ａの先端に突起３ｂを設けてもよい。図８に示す例では、突起３ｂが平面視三角形状に形成され、図９に示す例では、突起３ｂが平面視半円状に形成されている。図１０に示す例では、舌片３ａの先端部内面に突起３ｂが形成されている。
【符号の説明】
【００２９】
１    ＤＣプラグ
１ａ  プラグ本体
２    基部
２ａ  貫通孔
２ｂ  凹部
２ｃ  底面
３    第１の接触部
３ａ  舌片
３ｂ  突起
４    中心電極
５    第３の接触部
１０    ＤＣコネクタ
１０ａ  コネクタ本体
１０ｂ  収納部
１０ｃ  周壁
１０ｄ  切欠
１１    ピン
１２    第２の接触部
１２ａ  一端
１２ｂ  他端
１３    導体
【図１】
0003183514.tif 000003
【図２】
0003183514.tif 000004
【図３】
0003183514.tif 000005
【図４】
0003183514.tif 000006
【図５】
0003183514.tif 000007
【図６】
0003183514.tif 000008
【図７】
0003183514.tif 000009
【図８】
0003183514.tif 000010
【図９】
0003183514.tif 000011
【図１０】
0003183514.tif 000012